Podtech/llm-jp-corpus-v4-ja_patent huggingface dataset:
(57)【要約】      （修正有）【課題】軽量で持ち運び便利な、右利き・左利き両方に使える、女性用防犯打撃棒を提供する。【解決手段】握り手棒１が受け棒２を垂直に１．５ｃｍ突きぬけ、握り手棒１・受け棒２が抜けないよう木の杭３を打つ。そこから１１ｃｍの距離に１．５ｃｍの杭を打つ。受け棒の底面からは２本の木の杭４が出て、攻撃をされたときに滑らないようになっている。又、受け棒の上部の先端は角を取るように丸く削り、下部の先端は腕の側面が乗るため弧を描くようになめらかにする。金属を使わずすべて木で作るため、軽量で持ち運びが便利である。【選択図】図２
0003145168.tif 000002
【実用新案登録請求の範囲】
【請求項１】
握り手棒１を垂直に通す受け棒２に突き抜けてはめ込み、突き抜けた部分から下へ１１ｃｍのところへ木の杭３を打ち、受け棒２の四隅を丸く滑らかに削り、金属を使わず、すべて木で作った女性用防犯打撃棒。
【考案の詳細な説明】
【背景技術】
【０００１】  昨今、女性を狙った犯罪が急増して世間を騒がしている。その防犯の手助けにと軽量で持ち運びに便利で、右利き・左利き両方に使える女性用防犯打撃棒を考案しました。
【考案が解決するための手段】
【０００２】  片方の手で（右手・左手）握り手棒を持ち、受け棒の上面に腕の側面を乗せる。敵が前から攻撃してきた時は受け棒の底面で受け、後ろから攻撃してきた時は受け棒の先端で反撃する。木でできているため軽量で受け棒の上面に腕の側面を乗せるため、安定してフィットし易い。
【考案を実施するための最良の形態】
【０００３】  握り手棒１は３ｃｍの角材で握り手部分は丸く削り、それが垂直に受け棒２を１．５ｃｍ突きぬける。突き抜けた部分は抜けないように握り手棒１・受け棒２共に穴を開け木の杭３を打つ。握り手棒が突き抜けた部分から１１ｃｍの距離に受け棒２の底面に穴を開けて１．５ｃｍの木の杭４を打つ。受け棒２底面の木の杭４は、攻撃をされたときの引っかかりとなり滑らなくなっている。又、受け棒２の上部５は引っかからないように丸みをおび、下部６は腕の側面が乗るため弧を描くように滑らかに削ってある。金属を使わずすべて木で作る、軽量で持ち運び便利な女性用防犯打撃棒１０である。
【図面の簡単な説明】
【０００４】
【図１】  本考案にかかる女性用防犯打撃棒の上面図
【図２】  本考案にかかる女性用防犯打撃棒の側面図
【符号の説明】
【０００５】  女性用防犯打撃棒                １０
握り手棒                          １
受け棒                            ２
握り棒と受け棒の固定する木の杭    ３
受け棒の木の抗                    ４
受け棒上部                        ５
受け棒下部（腕の側面を乗せる部）  ６
【図１】
0003145168.tif 000003
【図２】
0003145168.tif 000004
(57)【要約】      （修正有）【課題】アレイ導波路を使った光合分波器と半導体レーザを使って、組立が簡単なリングレーザを提供する。【解決手段】左スラブ導波路２と右スラブ導波路３をアレイ導波路回折格子４で結び、左スラブ導波路には左入力導波路５と左出力導波路６、右スラブ導波路には右入力導波路７と右出力導波路８がそれぞれ結合してある構造の光波長合分波器に於いて、左入力導波路と右入力導波路との各出力端面の間に半導体レーザ素子９を配置し、左出力導波路と右出力導波路を光分岐路１０の両端に接続してリングレーザを構成している。【選択図】図１
0003145164.tif 000002
【実用新案登録請求の範囲】
【請求項１】
左スラブ導波路と右スラブ導波路をアレイ導波路回折格子で結び、左スラブ導波路には左入力導波路と左出力導波路、右スラブ導波路には右入力導波路と右出力導波路がそれぞれ結合してある構造の光波長合分波器に於いて、左入力導波路と右入力導波路との各出力端面の間に半導体レーザ素子を配置し、左出力導波路と右出力導波路を光分岐路の両端に接続したリングレーザ。
【請求項２】
〔請求項１〕の半導体レーザ素子を光波長合分波器と同一基板上に直接形成したリングレーザ。
【請求項３】
〔請求項１〕の光分岐路の一方の出力口に反射鏡を形成し、他方の出力口に受光素子を配置したレーザジャイロ。
【請求項４】
〔請求項３〕の半導体レーザ素子と受光素子の少なくとも一方を光波長合分波器と同一基板上に直接形成したレーザジャイロ。
【請求項５】
〔請求項１〕の半導体レーザ素子を複数個の半導体レーザアレイに置き換えた光送信器。
【請求項６】
〔請求項５〕の半導体レーザ素子の一部を受光素子に置き換えた光送受信器。
【請求項７】
〔請求項５〕の半導体レーザアレイを幅方向に移動可能にした多波長光源。
【考案の詳細な説明】
【技術分野】
【０００１】  この考案は半導体リングレーザに関するものである。
【背景技術】
【０００２】  リングレーザはレーザジャイロに利用されているが、精密な組立を必要とする問題があった。
【考案の開示】
【考案が解決しようとする課題】
【０００３】  そこでこの考案はアレイ導波路を使った光合分波器と半導体レーザを使って、組立が簡単なリングレーザを実現する事を目的としている。
【課題を解決するための手段】
【０００４】  左スラブ導波路と右スラブ導波路をアレイ導波路回折格子で結び、左スラブ導波路には左入力導波路と左出力導波路、右スラブ導波路には右入力導波路と右出力導波路がそれぞれ結合してある構造の光波長合分波器に於いて、左入力導波路と右入力導波路との各出力端面の間に半導体レーザ素子を配置し、左出力導波路と右出力導波路を光分岐路の両端に接続している。
【考案の効果】
【０００５】  半導体レーザ素子からの左回りレーザ光は、右入力導波路から右スラブ導波路に入り、アレイ導波路回折格子で分波されて左スラブ導波路から左出力導波路に入り、光分岐路を通って右出力導波路から右スラブ導波路に入り、アレイ導波路回折格子で分波されて左スラブ導波路から左入力導波路に入り、半導体レーザ素子に戻る。右回りは逆である。左回りレーザ光は光分岐路の右出力口、右回りレーサ光は左出力口からそれぞれ出力される。各光学素子は基板上に一体形成されており、組立は半導体レーザ素子の配置だけである。左入力導波路と右入力導波路との各出力端面の光軸はあらかじめ一致しているから、半導体レーザ素子の位置あわせが簡単にできる。半導体レーザ素子も基板によっては同一基板上に形成でき、全く組立工程が無くせる。半導体レーザ素子の数や構造は用途により自由に変えられる。
【考案を実施するための最良の形態】
【０００６】  図１はレーザジャイロへの応用例の平面図である。基板１上で左スラブ導波路２と右スラブ導波路３をアレイ導波路回折格子４で結び、左スラブ導波路２には左入力導波路５と左出力導波路６、右スラブ導波路３には右入力導波路７と右出力導波路８がそれぞれ結合してある。左入力導波路５と右入力導波路７との各出力端面の間に半導体レーザ素子９を配置し、左出力導波路６と右出力導波路８を光分岐路１０の両端に接続している。光分岐路１０の右出力口１１には受光素子１２、左出力口１３には反射鏡１４を配置してある。半導体レーザ素子９と受光素子１２は基板１上に一体形成できる場合もある。【０００７】  半導体レーザ素子９を連続発振させると、レーザ光１５が右回りと左回りで発振するが、基板１が宇宙に対して変位すると両者の発振周波数が微小に変化し、光分岐路１０の左出力口１３の反射鏡１４で右回りのレーザ光１５が反射されて右出力口１１の受光素子１２でヘテロダイン検波され、変位に比例した周波数で電気信号が変動する。【０００８】  図２は光送信器への応用例の平面図である。基板１６上で左スラブ導波路１７と右スラブ導波路１８をアレイ導波路回折格子１９で結び、左スラブ導波路１７には左入力導波路２０と左出力導波路２１、右スラブ導波路１８には右入力導波路２２と右出力導波路２３がそれぞれ結合してある。左入力導波路２０と右入力導波路２２との各出力端面の間に半導体レーザ素子２４を４個配列した半導体レーザアレイ２５を配置し、左出力導波路２１と右出力導波路２３を光分岐路２６の両端に接続している。【０００９】  半導体レーザアレイ２５内の各半導体レーザ素子２４の材質や成分比は同一である必要は無く、自由に組合せることができる。光分岐路２６の左出力口２７と右出力口２８から各半導体レーザ素子２４から出力されたレーザ光３０が出力される。半導体レーザ素子２４の一部を受光素子に置き換えると光送受信器として使える。半導体レーザ素子２４の材質や組成比を変えて様々な発振波長帯域のものを組み合わせると、広帯域で利用できる多波長光源になり、スペクトル分析や光波長変換用光源として使える。例えば、２波長を同時発振させて非線形光学素子に入力し、可視光を和周波変換で紫外光にしたり、近赤外光を差周波変換で赤外光にしたりする装置の光源になる。様々な波長を組み合わせた半導体レーザ素子２４を複数組交互に配列し、半導体レーザアレイ２５を圧電素子や磁石で幅方向に移動させて動作する半導体レーザ素子２４の組を切り替えられるようすると、広い波長帯域で利用できる。
【図面の簡単な説明】
【００１０】
【図１】レーザジャイロへの平面図。
【図２】光送信器の平面図。
【符号の説明】
【００１１】１  基板
２  左スラブ導波路
３  右スラブ導波路
４  アレイ導波路回折格子
５  左入力導波路
６  左出力導波路
７  右入力導波路
８  右出力導波路
９  半導体レーザ素子
１０  光分岐路
１１  右出力口
１２  受光素子
１３  レーザ光
１４  左出力口
１５  反射鏡
１６  基板
１７  左スラブ導波路
１８  右スラブ導波路
１９  アレイ導波路回折格子
２０  左入力導波路
２１  左出力導波路
２２  右入力導波路
２３  右出力導波路
２４  半導体レーザ素子
２５  半導体レーザアレイ
２６  光分岐路
２７  左出力口
２８  右出力口
２９  レーザ光
【図１】
0003145164.tif 000003
【図２】
0003145164.tif 000004
(57)【要約】      （修正有）【課題】幼児の目薬点眼を容易化する点眼補助具を提供する。【解決手段】点眼補助具１は、目薬容器の注ぎ口下部に装着するための差込口２を備えている。２の大きさは、一般的な目薬容器の注ぎ口の大きさに応じて決めればよい。また、１の上部３に、幼児に注視させるためのシールを貼る部位を備えている。３の大きさは、そこに貼るシールに応じて決めればよい。素材には、１を目薬容器に装着した状態で自立する程度の強度が必要である。目薬容器の注ぎ口下部分に点眼補助具本体１を装着した状態で、目薬容器を点眼するために幼児の目に近づけると、幼児の目は１の上部３に貼られたシールを追い、結果として幼児の目を閉じさせること無く、また容器の注ぎ口を見せることなく容易に点眼を行うことができる。【選択図】図１
0003145166.tif 000002
【実用新案登録請求の範囲】
【請求項１】
目薬容器に装着する差込口と、この差込口の上部に儲けた、幼児に注視させるためのシールを貼る部分と、を備えた点眼補助具。
【考案の詳細な説明】
【技術分野】
【０００１】  本考案は幼児の目薬点眼を容易に行うための点眼補助具に関する。
【背景技術】
【０００２】  従来の点眼補助具では、目を開けさせるための工夫がないか、強制的に目を開けさせていた。
【考案の開示】
【考案が解決しようとする課題】
【０００３】  しかしこれでは、目薬点眼時に、幼児に自然と目を開けさせることができない。
【課題を解決するための手段】
【０００４】  スプーン上に形成した点眼補助具本体１の差込口２を目薬容器の注ぎ口下部分に装着する。１の上部３にキャラクターなどのシールを貼る。
【考案の効果】
【０００５】  目薬容器の注ぎ口下部分に点眼補助具本体１を装着した状態で、目薬容器を点眼するために幼児の目に近づけると、幼児の目は１の上部３に貼られたシールを追い、結果として幼児の目を閉じさせること無く、また容器の注ぎ口を見せることなく容易に点眼を行うことができる。
【考案を実施するための最良の形態】
【０００６】  本考案に係る点眼補助具１は、図１に示すように、目薬容器の注ぎ口下部に装着するための差込口２を備えている。２の大きさは、一般的な目薬容器の注ぎ口の大きさに応じて決めればよい。また、１の上部３に、幼児に注視させるためのシールを貼る部位を備えている。３の大きさは、そこに貼るシールに応じて決めればよい。素材には、１を目薬容器に装着した状態で自立する程度の強度が必要である。
【図面の簡単な説明】
【０００７】
【図１】  本考案に係る、点眼補助具を示した平面図である。
【図２】  本考案に係る、点眼補助具の装着例を示した斜視図である。
【符号の説明】
【０００８】  １  点眼補助具本体
２  点眼補助具下部の差込口
３  点眼補助具上部のシール貼り付け部分
【図１】
0003145166.tif 000003
【図２】
0003145166.tif 000004
(57)【要約】      （修正有）【課題】未使用の複数のクラブを地面に対し斜めに立てかける事の出来るクリップ式クラブスタンドを提供する。【解決手段】洗濯バサミ状のクリップ先端にシャフト抱えの為の半円形筒２を２個設置し、クリップの柄側最下端に滑り止めのピンを持つ地面接地の為の足４にて構成し、シャフトホールド部を拡げゴルフクラブのシャフト下部を挟みクラブ本体とクリップ式クラブスタンドの足を地面に接地させ３点支持にて自立させる事が出来る。付属のグリップクリップを一本目に自立したクラブのグリップに地面に対し水平に挟み、柄側のＵの字形９へ二本目以降のクラブを立てかけることが出来る。又、グリップ式クラブスタンドにはキャディーバック取り付け用フックを設け、さらにグリップ式クラブスタンドとグリップクリップを適宜な長さの鎖でつないで紛失防止策を設けている。雨天時はグリップカバーをかければ、濡れの軽減が図れる。【選択図】図１
0003145170.tif 000002
【実用新案登録請求の範囲】
【請求項１】
ゴルフプレーにおける複数のクラブの一本をクラブシャフトを挟み込むことの出来る傷防止テープの付いた特殊形状のシャフトホールド部と滑り止めピンの付いた二股の足を持つことを特徴とするクラブを芝生上に寝かせることなく自立させることの出来るクリップ式クラブスタンド。
【請求項２】
前記請求項１のクリップ式クラブスタンドで自立した一本目のクラブのグリップにＵの字形の柄を持つことを特徴とするグリップクリップを地面に水平に挟み、二本目以降のクラブをＵの字形の柄に立てかけることの出来る傷防止テープの付いたグリップクリップ。
【請求項３】
前記請求項１のクリップ式クラブスタンドにはキャディーバックに取り付けるためのフックを設けたこと、さらに前記請求項２のグリップクリップと請求項１のグリップ式クラブスタンドを軽量の適宜な長さの鎖でつなぎ、紛失防止策を設けたこと。
【考案の詳細な説明】
【技術分野】
【０００１】  本考案は、ゴルフクラブを芝生上に寝かせることなく自立させることの出来るクリップ式クラブスタンドに関するものである。
【背景技術】
【０００２】  ゴルフのセルフプレーにおいてセカンドショット以降は複数のクラブを持って次のショットに向かうがその場で使用しないクラブは芝生上に寝かせて置いていた。
【考案の開示】
【考案が解決しようとする課題】
【０００３】  その場で使用しないクラブは芝生上に寝かせて置くため、置き忘れがあったり、雨天時にはグリップの濡れる割合が増える、また腰をかがめて拾うことになり腰痛発生の危険があったがクラブが自立するため前述の欠点を解決しようとするものである。
【課題を解決するための手段】
【０００４】  未使用のクラブ一本を利用し二本足のクリップ式クラブスタンドをシャフトに装着し３点支持にてクラブを斜めに自立させる。又、二本目以降のクラブを支えるグリップクリップを要する。
【考案の効果】
【０００５】  グラブが自立することにより、使用しない複数のクラブの存在が眼に付きやすく芝生上に寝かせたときに起こりやすいクラブの置き忘れ防止、雨天時のグリップの濡れの軽減、腰痛防止に役立てるものである。
【考案を実施するための最良の形態】
【０００６】  図２のシャフトを抱えて挟む半円筒形のシャフトホールド部（内径φ１２ｍｍを縦に二分割し長さは４０ｍｍ）と二本足の角度はもっとも重要な要素となり、ホールド部を垂直にしたときスタンド部（足）の角度は４０°である。又、スタンド部の足の開き角度も芝生上に接地させた時もっとも安定する角度は６０°である。
又、クリップ式クラブスタンドの全長は２２０ｍｍ以上２７０ｍｍ以内がもっとも安定しかつ取り扱いが容易である。
グリップクリップの形態は図面の通り。
【実施例】
【０００７】  以下、添付図面に従って一実例を説明する。
▲１▼は耐久性のプラスチックス等適宜素材にて組み立てたクリップ式クラブスタンド本体、▲２▼はシャフトを抱えて挟むホールド部。
クリップを開きシャフトホールド部でパターのシャフトを挟み、パターヘッドの底部とクリップ式クラブスタンドの足▲４▼を芝生上に設置すると３点支持にてパターが自立する。【０００８】  自立した一本目のパターのグリップ上部に▲８▼のグリップクリップを挟み、柄側Ｕの字形部分に２本目以降のゴルフクラブのグリップを上して立てかける。
又、パターグリップエンドの穴を利用して目印用の旗を立てることが出来、さらに雨の日には雨用カバーをかけることが出来る。
【図面の簡単な説明】
【０００９】
【図１】本考案のクリップ式クラブスタンドの正面図、側面図、及びグリップクリップの正面図である
【図２】構成部品の断面図である
【図３】本考案の使用例のイラストである
【符号の説明】
【００１０】  ▲１▼    クリップ式クラブスタンド本体
▲２▼    シャフトホールド部
▲３▼    クリップ部（バネ部品、ボルト、ナット）
▲４▼    スタンド部（足）
▲５▼    傷防止用テープ
▲６▼    キャディーバック取り付け用フック
▲７▼    紛失防止用鎖取り付け穴
▲８▼    グリップクリップ本体
▲９▼    Ｕの字形グリップ立て
▲１０▼  鎖
▲１１▼  雨よけカバー
【図１】
0003145170.tif 000003
【図２】
0003145170.tif 000004
【図３】
0003145170.tif 000005
(57)【要約】      （修正有）【課題】調理済みの料理を鍋から皿に移す際、調理道具で寄せた料理が鍋側面を伝って逃げてしまうことによる鍋から皿への移しこぼしを防止する防壁クリップを提供する。【解決手段】調理済みの料理を鍋３から皿に移す際、調理道具で寄せた料理が鍋３側面を伝って逃げてしまうことによる移しこぼしを防止するために、耐熱素材でできた四角いプレート状の防壁１を鍋３の側壁より高くし、鍋３を傾けた際には鍋３側面から迫り出した状態としてクリップ２で鍋３側面に挟み込み取り付け皿の範囲内に誘導できるようにする。【選択図】図２
0003145167.tif 000002
【実用新案登録請求の範囲】
【請求項１】
本防壁クリップは鍋から皿への移しこぼしを防止する、どんな大きさの鍋にも取り付けが可能で、鍋の側面より高くして鍋を傾けた際には側面より迫り出した状態になる耐熱素材でできた四角いプレート状の防壁を挟み式クリップで取り付けることを特徴とする、鍋から皿への移しこぼし防壁クリップ。
【考案の詳細な説明】
【技術分野】
【０００１】  耐熱素材でできていてどんな大きさの鍋にも取り付けられる四角いプレート状の防壁部分は鍋の側面より高くし、鍋を傾けた際には鍋側面より迫り出した状態にしてクリップで挟んで取り付け、料理を皿へこぼすことを防止し移すことができるクリップに関するものである。
【技術背景】
【０００２】  調理済みの料理を鍋から皿に移す際、日常では皿よりも鍋の方が大きいサイズである場合の方が多く、固体であれば一つ二つ皿の外に落としてしまったり、また液体や粘質状であれば、こぼれてしまい皿を汚してしまうということが頻繁にあった。
【考案の開示】
【考案が解決しようとする課題】
【０００３】  調理済みの料理を鍋から皿に移す際にこぼしたのを片付けるのはひと手間である。耐熱素材でできていてどんな大きさの鍋にも取り付けられる四角いプレート状の防壁部分は鍋の側面より高くし、鍋を傾けた際には鍋側面より迫り出した状態となるようクリップで挟んで取り付け、料理道具で寄せた料理が鍋側面を伝って逃げないようにし移しこぼしを防止することによって、前述の欠点を解決しようとするものである。
【課題を解決するための手段】
【０００４】  調理済みの料理を鍋から皿に移す際、料理道具で寄せた料理が鍋側面を伝って逃げないようにし移しこぼしを防止するために、耐熱素材でできた四角いプレート状の防壁部分は鍋の側面より高くし鍋を傾けた際には側面より迫り出した状態となる防壁クリップで鍋側面に挟んで取り付け皿からこぼすことを防止できるようにすることにより問題点を解決している。
【考案の効果】
【０００５】  耐熱素材でできた四角いプレート状の防壁部分は鍋の側壁より高くし鍋を傾けた際には鍋側面より迫り出した状態となる防壁クリップで鍋側面に挟んで取り付け、料理をこぼさないようにすることによって、調理済みの料理を鍋から皿に移す際、調理道具で寄せた料理が鍋側面を伝って逃げないようにし、鍋から皿への移しこぼし防止に役立つ。
【考案を実施するための最良の形態】
【０００６】  調理済みの料理を鍋から皿に移す際、調理道具で寄せた料理が鍋側面を伝って逃げないようにすることによって、皿への移しこぼしを防止するために、耐熱素材でできた四角いプレート状の防壁部分は鍋の側壁より高くし鍋を傾けた際には鍋側面より迫り出した状態となる防壁クリップで鍋側壁に挟んで取り付け、皿からこぼすことを防止できるようにする。また、着脱しやすく手軽に洗浄できる単純構造になっている。
【実施例】
【０００７】  耐熱素材でできた四角いプレート状の防壁１を、鍋３側面に鍋３の側壁より高くし鍋３を傾けた際には鍋３側面より迫り出した状態となる防壁をクリップ２部分で挟み取り付け、料理を皿からこぼすことを防止できるようにする。【０００８】  前記同様防壁クリップの取り付けは単純構造で着脱しやすく洗浄も容易である。
【図面の簡単な説明】
【０００９】
【図１】本考案の鍋から皿への移しこぼれ防壁クリップの一実例を示す上面図である。
【図２】本考案の鍋から皿への移しこぼれ防壁クリップの一実例を示す側面図である。
【図３】本鍋から皿への移しこぼれ防壁クリップの一部防壁側面図である。
【図４】本鍋から皿への移しこぼれ防壁クリップの一部クリップ側面図である。
【符号の説明】
【００１１】１  防壁
２  クリップ
３  鍋
【図１】
0003145167.tif 000003
【図２】
0003145167.tif 000004
【図３】
0003145167.tif 000005
【図４】
0003145167.tif 000006
(57)【要約】【課題】すくい部に調理対象物が付着するのを防止でき、しかもすくい部をフライパン等と調理対象物との間に極めてスムーズに差し込むことができるターナーを提供する。【解決手段】すくい部５をフライパン１１の内底面と調理対象物としてのホットケーキ９との間に差し込む。すくい部５の表裏面には多数の凸部７が形成されているので、すくい部５とホットケーキ９、フライパン１１との接触面積が小さい。従って、すくい部５にホットケーキ９が付着するのを防止でき、しかもすくい部５をフライパン１１とホットケーキ９との間に極めてスムーズに差し込むことができる。次いで、ターナー１を返して、ホットケーキ９を引っ繰り返す。【選択図】        図３
0003145109.tif 000002
【実用新案登録請求の範囲】
【請求項１】
柄と、前記柄の先端部に設けられた可撓性を有する材料によって構成されるすくい部とを具備するターナーにおいて、前記すくい部の表裏面のうち少なくとも一方の面に多数の凸部を形成したことを特徴とするターナー。
【請求項２】
請求項１に記載したターナーにおいて、凸部は球面状であることを特徴とするターナー。
【請求項３】
請求項１または２に記載したターナーにおいて、凸部の直径は０．８ｍｍ〜１．２ｍｍ、高さ寸法０．４ｍｍ〜０．６ｍｍであることを特徴とするターナー。
【請求項４】
請求項３に記載したターナーにおいて、前記凸部が１平方センチメートル当たり１０個〜１８個配置されていることを特徴とするターナー。
【考案の詳細な説明】
【技術分野】
【０００１】
本考案はフライパン等において調理するホットケーキ等の調理対象物を引っ繰り返すのに用いるターナーに関するものである。
【背景技術】
【０００２】
特許文献１に記載されたターナーは、すくい部と、すくい部の後縁から上方へ延びる縦壁部と、縦壁部の上端部から後方へ延びる柄部とを有しており、すくい部の表裏面ともに平らに加工されている。
【０００３】
【特許文献１】特開２００２−３４５６５８号公報
【考案の開示】
【考案が解決しようとする課題】
【０００４】
しかしながら、上記従来のターナーは、すくい部の表裏面は平らな状態となっているので、引っ繰り返す対象物との接触面積が大きく、調理対象物が付着しやすいという欠点がある。
また、すくい部の表裏面は平らであるため、すくい部をフライパン等と調理対象物との間に差し込む際に、すくい部とフライパン等、調理対象物の両方との摺接面積が大きく、すくい部をスムーズに差し込むことができないこともある。
本考案は上記従来の問題点に着目して為されたものであり、すくい部に調理対象物が付着するのを防止でき、しかもすくい部をフライパン等と調理対象物との間に極めてスムーズに差し込むことができるターナーを提供することを、その目的とする。
【課題を解決するための手段】
【０００５】
本考案は上記課題を解決するためになされたものであり、請求項１の考案は、柄と、前記柄の先端部に設けられた可撓性を有する材料によって構成されるすくい部とを具備するターナーにおいて、前記すくい部の表裏面のうち少なくとも一方の面に多数の凸部を形成したことを特徴とするターナーである。
【０００６】
請求項２の考案は、請求項１に記載したターナーにおいて、凸部は球面状であることを特徴とするターナーである。
【０００７】
請求項３の考案は、請求項１または２に記載したターナーにおいて、凸部の直径は０．８ｍｍ〜１．２ｍｍ、高さ寸法０．４ｍｍ〜０．６ｍｍであることを特徴とするターナーである。
【０００８】
請求項４の考案は、請求項３に記載したターナーにおいて、前記凸部が１平方センチメートル当たり１０個〜１８個配置されていることを特徴とするターナーである。
【考案の効果】
【０００９】
本考案のターナーによれば、すくい部に調理対象物が付着するのを防止できる。しかも、すくい部をフライパン等と調理対象物との間に極めてスムーズに差し込むことができる。
【考案を実施するための最良の形態】
【００１０】
本考案の実施の形態に係るターナー１を図面にしたがって説明する。
符号３はステンレススチールによって構成された柄を示し、この柄３は先端部分が二股に分かれている。柄３の先端部のすくい部５には耐熱性に優れたナイロン４６、ポリエーテルイミド、スチレン系の合成樹脂材料や、これらの合成樹脂材料をガラス繊維や炭素繊維で強化した強化プラスチック等を利用できる。
【００１１】
また、すくい部５は柄３の先端部が挿入される後端部分を除いて、中央部分から先端部分の厚さ寸法が１．５ｍｍ程度に形成されており、中央部分から先端部分は可撓性に富んでいる。
すくい部５の中央部分から先端部分の表裏面には、多数の凸部７が形成されている。この凸部７は球面状で、直径１．０ｍｍ、高さ寸法が０．５ｍｍ程度であり、１平方センチメートル当たり、１２個〜１６個の密度で配置されている。これらの寸法は直径０．８ｍｍ〜１．２ｍｍの範囲で、高さ寸法０．４ｍｍ〜０．６ｍｍの範囲で適宜設定し、また凸部７の１平方センチメートル当たりの配置数は１０個〜１８個の範囲で変更することができる。
【００１２】
次に、このターナー１の使用方法について説明する。
図２に示すように、柄３を持って、すくい部５の裏面をフライパン１１の内周面に押し当てるようにして、すくい部５を湾曲させる。すくい部５は可撓性に富んでいるので、フライパン１１の内周面に沿った形状となる。そして、すくい部５をフライパン１１に沿わせて進行させて、図３に示すようにすくい部５をフライパン１１の内底面と調理対象物としてのホットケーキ９との間に差し込む。すくい部５の表裏面には多数の凸部７が形成されているので、すくい部５とホットケーキ９、フライパン１１との接触面積が小さい。従って、すくい部５にホットケーキ９が付着するのを防止でき、しかもすくい部５をフライパン１１とホットケーキ９との間に極めてスムーズに差し込むことができる。次いで、ターナー１を返して、ホットケーキ９を引っ繰り返す。
【００１３】
特に、このターナー１では、上記のようにすくい部５に直径１．０ｍｍ、高さ寸法０．５ｍｍ程度のサイズの凸部７が、１平方センチメートル当たり１２個〜１６個の密度で配置されているので、すくい部５の可撓性を損なうことなく、且つ上記のようにすくい部５にホットケーキ９が付着するのを防止でき、しかも凸部７が球面状なので、すくい部５をフライパン１１とホットケーキ９との間に極めてスムーズに差し込むことができる。
【００１４】
以上、本考案の実施の形態について詳述してきたが、具体的構成は、この実施の形態に限られるものではなく、本考案の要旨を逸脱しない範囲における設計の変更などがあっても考案に含まれる。
【産業上の利用可能性】
【００１５】
本考案のターナーは調理器具の製造分野において利用可能性を有する。
【図面の簡単な説明】
【００１６】
【図１】本考案の実施の形態に係るターナーの斜視図である。
【図２】図１のターナーの使用方法を説明するための図である。
【図３】図１のターナーの使用方法を説明するための図である。
【符号の説明】
【００１７】
１…ターナー      ３…柄      ５…すくい部
７…凸部      ９…調理対象物としてのホットケーキ
１１…フライパン
【図１】
0003145109.tif 000003
【図２】
0003145109.tif 000004
【図３】
0003145109.tif 000005
(57)【要約】      （修正有）【課題】線香を掴み易く、取り出し易い等の特徴を有した線香入ケースを提供する。【解決手段】複数本の棒状の線香を等間隔に配置し、これらの一端部を一体に連結した形状の櫛状の線香を入れるケースであって、ケース本体１とその蓋２とよりなり、前記ケース本体１は、前記線香３を左右両側壁との間に前後両側壁と平行に重ねて配置して収納する枠体を有しているとともに、前記前後両側壁には、線香３をつまみ易くする為の切り欠き部１aを設けたことを特徴とする線香入れケース。【選択図】図２
0003145182.tif 000002
【実用新案登録請求の範囲】
【請求項１】
複数本の棒状の線香を等間隔に配置し、これらの一端部を一体に連結した形状の櫛状の線香を入れるケースであって、ケース本体とその蓋とよりなり、前記ケース本体は、前記線香を左石両側壁との間に前後両側壁と平行に重ねて配置して収納する枠体を有しているとともに、前記前後両側壁には、線香をつまみ易くするための切り欠き部が設けられていることを特徴とする線香入れケース。
【考案の詳細な説明】
【技術分野】
【０００１】
本考案は、線香入れケースに関するものである。
【背景技術】
【０００２】
複数本の棒状の線香を等間隔に配置し、これらの一端部を一体に連結した櫛状の線香は、実用新案登録第３１２９５５７号公報に開示されている。この線香を横に寝かせた状態で空き箱に重ねて入れると、線香の自由端部が絡み易く折れ易い。
また自由端部が絡むので、掴み難く、取出し難かった。
【考案の開示】
【考案が解決しようとする課題】
【０００３】
本考案は、上記問題点を解決することを課題とする。
【課題を解決するための手段】
【０００４】
本考案が、上記課題を解決するために提供する線香入れケースは、複数本の棒状の線香を等間隔に配置し、これらの一端部を一体に連結した形状の櫛状の線香を入れるケースであって、ケース本体とその蓋とよりなり、前記ケース本体は、前記線香を左右両側壁との間に前後両側壁と平行に重ねて配置して収納する枠体を有しているとともに、前記前後両側壁には、線香をつまみ易くするための切り欠き部が設けられていることを特徴とするものである。
【考案の効果】
【０００５】
本考案の線香入れケースによれば、次の効果を得ることができる。
（１）線香を左右両側壁との間に前後両側壁と平行に配置して収納する枠体に重ねて入れるので、線香の自由端部が絡むおそれがなく、折れたりするおそれもない。
（２）また、線香の自由端部が絡むおそれがないので、掴み易く、取出し易い。
【考案を実施するための最良の形態】
【０００６】
図１及び図２は、実施例１の線香入れケースを示す。ケース本体１内に複数本の棒状の線香を等間隔に配置し、これらの一端部を一体に連結した形状の線香３を入れるケースであって、ケース本体１とその蓋２とよりなり、前記ケース本体１は、前記線香３を左右両壁との間に前後両側壁と平行に重ねて配置して収納する枠体を有しているとともに、前記前後両側壁には、線香３をつまみ易くするための切り欠き部１aが設けられていることを特徴とするものである。
【０００７】
１ｂは、ケース本体１内に前後両側壁と平行に設けたブロックである。このブロック１ｂによって線香３を２列に配置できるようにしたものである。ケース本体１とブロック１ｂによって、本考案にいう枠体が形成されている。
【０００８】
図３は、実施例１の線香入れケースを２個直列に一体に連結した構成のものである。
なお、線香３の上面をスポンジ状押え４で押さえるようにすることで、特に線香入れケースの携帯時において、ケース本体１内の残り少なくなった線香３が踊ることも無く損傷等を防ぐことができる。
本考案は、実施形態に限定されるものではなく、基本の形状及び材質、構成手段等、適宜に設計変更できるものである。
【図面の簡単な説明】
【０００９】
【図１】実施例１の線香入れケースの一部縦断正面図
【図２】実施例１の分解斜視図
【図３】実施例２の線香入れケースの一部切欠平面図
【符号の説明】
【００１０】
１  ケース本体
１a  切り欠き部
１ｂ  ブロック
２    蓋
３    線香
４    スポンジ状押え
【図１】
0003145182.tif 000003
【図２】
0003145182.tif 000004
【図３】
0003145182.tif 000005
(57)【要約】      （修正有）【課題】ピストンエンジンで発生した熱の発散を防ぎ、熱エネルギーの有効利用とエンジン音と振動の低減が可能な内燃機関用ピストンエンジンを提供する。【解決手段】内燃機関用シリンダーブロック２の中に、シリンダー・ライナー１として真空断熱層１ａを有する多重筒状体埋め込み構成し、ピストンヘッド４やピストン５などをもってエンジンを構成する。さらに該シリンダ・ライナー１の最外周部に耐熱性の炭素組織やゴムあるいはそれらの合成材からなる遮音兼防振層６を設けて、エンジン音と振動の低減を図る。【選択図】図１
0003145172.tif 000002
【実用新案登録請求の範囲】
【請求項１】
内燃機関用シリンダ・ライナーを真空断熱層を有する多重筒状体で形成したことを特徴とする内燃機関用ピストンエンジン。
【請求項２】
上記シリンダ・ライナー最外周に耐熱性の遮音兼防振層を設けたことを特徴とする請求項１に記載の内燃機関用ピストンエンジン。
【考案の詳細な説明】
【技術分野】
【０００１】本考案は、内燃機関用ピストンエンジンの改良に関する。
【背景技術】
【０００２】従来のピストンエンジンでは、ピストンとシリンダー内で気体が爆発して発生する熱を、エンジン本体に付けた空冷用のフィンに空気を送って冷やす空冷方式か、エンジン本体に発生した熱を、水をラジエーターからエンジン本体のシリンダーブロック内にポンプで循環させて冷却する水冷方式が採用されていた。
【考案の開示】
【考案が解決しょうとする課題】
【０００３】
【０００４】ところが、従来から提供されている両方式は内燃機関用ピストンエンジンで発生した高温の熱を完全に冷却することは出来ず、殆どの熱をエンジン本体に伝達したり、大気中に発散させたりし、エネルギーロスが大きく、地球温暖化の一因になっており、更にエンジン音と振動の低減可能な内燃機関用ピストンエンジンが所望されていた
【課題を解決するための手段】
【０００５】本考案は上記目的を達成するために、内燃機関用シリンダ・ライナーを真空断熱層を有する多重筒状体で形成したことを特徴とする内燃機関用ピストンエンジンで、更に、シリンダ・ライナー最外周に耐熱性の遮音兼防振層を設けて、ピストンエンジンで発生した熱の発散を防ぎ、熱エネルギーのロスと、エンジン音と振動低減が可能な内燃機関用ピストンエンジンを提供することを可能にした。
【考案の効果】
【０００６】
【０００７】上記した本考案によれば、ピストンエンジンで発生した熱の発散を防ぎ、熱エネルギーの有効利用と、エンジン音と振動の低減が可能な内燃機関用ピストンエンジンを提供することが可能になつた。
【考案を実施するための最良の形態】
【０００８】以下、本考案の好ましい実施の形態につき、図面を参照し具体的に説明する。
【実施例】
【０００９】図１は、本考案に係る内燃機関用シリンダ．ライナー１に真空断熱層１ａを多重筒状体で形成した一実施例を示す図である。
図中、１はシリンダ．ライナー１を二重筒状体で形成し、真空断熱層１ａを有するシリンダ．ライナー１である。
２はシリンダ．ライナー１を埋め込んだシリンダ．ブロックを，３は図示省略のクランクシャフト側を示し、４はピストンヘッドを、５はピストンを示す。
本実施例では、内燃機関用シリンダ．ライナー１の真空断熱層１ａを二重筒状体で形成したが、内燃機関用シリンダ．ライナーの真空断熱層１ａを必要に応じて三重筒状体等で形成しても良いことは言うまでもない。【００１０】図２は、本考案に係る他実施例を示す図で、前記実施例と異なる点は、上記シリンダ．ライナー１の最外周に耐熱性の遮音兼防振層６を設けた事である。【００１１】耐熱性の遮音兼防振層６は材質として耐熱炭素繊維、耐熱ゴム、等複合材も含む。
【産業上の利用分野】
【００１２】本考案に係る内燃機関用ピストンエンジンは、二輪車オートバイ用、船舶用、航空機用、その他、あらゆる産業用の内燃機関用ピストンエンジンとして用いる事が可能である。
【図面の簡単な説明】
【００１３】
【図１】本考案に係るエンジンブロックの一部を切り欠いたシリンダ．ライナーの実施例を示す縦断面図である。
【図２】図１に図示のシリンダ．ライナーの外周に耐熱性の遮音兼防振層を設けた実施例を示す縦断面図である。
【符号の説明】
【００１４】１      シリンダ．ライナー    ３      クランクシャフト側を示す
１ａ    真空断熱層            ４      ピストンヘッド
２      シリンダーブロック    ５      ピストン          ６      遮音兼防振層
【図１】
0003145172.tif 000003
【図２】
0003145172.tif 000004
(57)【要約】      （修正有）【課題】雪害や凍結による雨樋の損傷を保守する為に降雪シーズンは軒裏に収納出来る雨樋を提供する。【解決手段】雨樋反転器具の角度を４５度に内曲げ更に水平部を９０度に捻じ曲げさらに操作バーの自在反転部角度を拡大し雨樋を１８０度回転させる事により雨樋の「セット」及び「収納」が簡単にしかも軽く操作出来る。固定雨樋の概念から脱却を図り雨樋を反転させるようにして簡単に切り替えられしかも女性でも手軽に操作出来るようになった。降雪地方でも雨樋設置が可能となり天水の活用による上水道の節水と住環境の改善に寄与できる。【選択図】図２
0003145117.tif 000002
【実用新案登録請求の範囲】
【請求項１】
降雪地方では屋根からの落雪や凍結に伴って氷柱が雨樋に付着して雨樋の損傷の原因となり雨樋の設置が困難となっていた。
本考案は軒先の鼻隠しと雨樋の間に雨樋補強板、雨樋受け、雨樋反転器具、蝶番で構成した操作器を操作バーで雨樋のセットや収納を容易にで出来るように考案した。
【考案の詳細な説明】
【技術分野】
【０００１】  建造物の設備の考案
【背景技術】
【０００２】  降雪や凍結（氷柱）によって雨樋の設置が皆無に等しい現状である
【考案の開示】
【考案が解決しょうとする課題】
【０００３】  雪害や凍結による雨樋の損傷を保守する為に降雪シーズンは雨樋を軒裏に収納出来るように考案した。
【課題を解決するための手段】
【０００４】  固定雨樋と同様の効果を有し雨樋のセット及び収納が簡単に切り替えが可能となり手軽に操作出来るようにした。
【考案の効果】
【０００５】  降雨時軒先からの雨水の飛沫や飛散が解消した。
従来は路上や雨水溝に流されていた雨水を回収タンク等に貯めて花壇や菜園、マイカーの洗車などに再利用が可能となり上下水道水の節水と共に経済的効果が期待できる。
【考案を実施するための最良の形態】
【０００６】  固定雨樋の概念から脱却を図り雨樋を反転させるように考案して簡単に切り替えられしかも女性でも手軽に操作出来るようになった。
【実施例】
【０００７】  雨樋全長３．８Ｍの中央部と両サイドの三ヶ所の蝶番に蝶番受けと雨樋補強板を用いて軒先の鼻隠しの強度を保持し且つ雨樋反転器具を介してワンタッチで雨樋のセット及び収納が出来るように考案した。
尚３．８Ｍ以上の長尺雨樋設置方法は別途考案中。
【産業上の利用可能性】
【０００８】  降雪地方でも雨樋設置が可能となり天水の活用による上水道の節水と住環境の改善に寄与できる。
【図面の簡単な説明】
【図１】正面図と雨樋反転器具角度調整図
【図２】（１）雨樋セット状態と操作器図  （２）雨樋収納状態図
【図３】雨樋操作器詳細図
【符号の説明】
【０００９】（１）  鼻隠し
（２）  蝶番受け
（３）  蝶番
（４）  雨樋補強板
（５）  雨樋反転器具
（６）  雨樋受け
（７）  雨樋
【図１】
0003145117.tif 000003
【図２】
0003145117.tif 000004
【図３】
0003145117.tif 000005
【手続補正書】
【提出日】平成20年3月17日(2008.3.17)
【手続補正１】
【補正対象書類名】実用新案登録請求の範囲
【補正対象項目名】全文
【補正方法】変更
【補正の内容】
【実用新案登録請求の範囲】
【請求項１】
軒先の鼻隠し部に蝶番を介して雨樋受け器具、雨樋、雨樋反転器具（４５度に内曲げ更に９０度に捻じ曲げた器具）、操作バーで構成した雨樋操作器の操作バーを用いて雨樋の収納及びセットを行う
【手続補正書】
【提出日】平成20年5月28日(2008.5.28)
【手続補正１】
【補正対象書類名】実用新案登録請求の範囲
【補正対象項目名】全文
【補正方法】変更
【補正の内容】
【実用新案登録請求の範囲】
【請求項１】
軒先の鼻隠し部の蝶番受けに蝶番と雨樋補強板を螺子止めし雨樋補強板に雨樋受け器具を取り付けて雨樋をセットし更に雨樋補強板に雨樋反転器具を取り付けた操作バーで構成された雨樋操作器
(57)【要約】      （修正有）【課題】炒め料理のようなフライパンを使用する料理で、食材をひっくり返す時、フライパンだけで食材をひっくり返すと、わきにこぼれることが多かったが、それを少なくし、簡単に食材を返すことの出来るようにした食材返し付きフライパンを提供する。【解決手段】従来のフライパンに食材返し用の側面を加えることにより、わきにこぼれることが多かった食材を少しでもなくし、食材を返す作業が苦手な人でも簡単に食材を返すことが出来る。【選択図】図１
0003145115.tif 000002
【実用新案登録請求の範囲】
【請求項１】
従来のフライパンに食材返しの為の側面を加えた食材返し付きフライパン。
【請求項２】
従来の、フライパンに、図１から図３のように、食材返しの側面を加えた食材返し付きフライパン。
【請求項３】
食材返しの側面に、焼けど防止カバーを、取り付けや、取り外すことが出来る食材返し付きフライパン。
【考案の詳細な説明】
【技術分野】
【０００１】
本考案は、今までのフライパンでは、食材をフライパンで反すとき、食材
が毀れる可能性が多かった。よって、本発明の食材返し付きフライパンは、食材を返す時、こぼれる可能性が少なく、返す作業も楽である。
【背景技術】
【０００２】
現在のフライパンを参考にした。
【考案の開示】
【考案が解決しようとする課題】
【０００３】
今までのフライパンで食材を返す時、こぼれる可能性が多い。よって食材を返す時、こぼれる可能性が少なく、作業を楽にすること。
【課題を解決するための手段】
【０００４】
従来のフライパンに、食材返しをつけることにより、返す作業も楽である。
【考案の効果】
【０００５】
食材を返す作業が苦手な人でも、上手に返すことが出来る。
【考案を実施するための最良の形態】
【０００６】
食材を油でいためるとき。
【実施例】
【０００７】
私自身が使用している。
【産業上の利用可能性】
【０００８】
炒め料理に、利用される。
【図面の簡単な説明】
【０００９】
【図１】フライパンの側面と同じ半面の食材返し付きフライパン。
【図２】フライパンの側面に炒め面と食材返し半面付のフライパン。
【図３】フライパンの側面に大きな食材返し半面付のフライパン。
【図４】フライパンの平面図。
【符号の説明】
【００１０】
イ  柄
ロ  炒め底面
ハ  食材返し面
二  焼けど防止カバー
ホ  天端面
【図１】
0003145115.tif 000003
【図２】
0003145115.tif 000004
【図３】
0003145115.tif 000005
【図４】
0003145115.tif 000006
【手続補正書】
【提出日】平成19年11月21日(2007.11.21)
【手続補正１】
【補正対象書類名】実用新案登録請求の範囲
【補正対象項目名】請求項１
【補正方法】変更
【補正の内容】
【請求項１】
フライパンに食材返しの為の側面がある、食材返し付きフライパン。
【手続補正２】
【補正対象書類名】実用新案登録請求の範囲
【補正対象項目名】請求項３
【補正方法】変更
【補正の内容】
【請求項３】
食材返し部分は、焼けど防止カバーと、食材返し部分を別々、又は、一体に、取り付けるか、取り外すことが出来る、食材返し付きフライパン。
【手続補正３】
【補正対象書類名】明細書
【補正対象項目名】０００９
【補正方法】変更
【補正の内容】
【０００９】
図５  食材返し取り付け状態の明細図
【手続補正４】
【補正対象書類名】明細書
【補正対象項目名】００１０
【補正方法】変更
【補正の内容】
【００１０】
ヘ  取り付けナット
【手続補正５】
【補正対象書類名】図面
【補正対象項目名】図５
【補正方法】追加
【補正の内容】
【図５】
0003145115.tif 000007
【手続補正書】
【提出日】平成20年2月22日(2008.2.22)
【手続補正１】
【補正対象書類名】実用新案登録請求の範囲
【補正対象項目名】請求項２
【補正方法】変更
【補正の内容】
【請求項２】
食材返しの側面を加えた、左側叉は右側に付けた、食材返し付きフライパン。
【手続補正書】
【提出日】平成20年5月29日(2008.5.29)
【手続補正１】
【補正対象書類名】実用新案登録請求の範囲
【補正対象項目名】全文
【補正方法】変更
【補正の内容】
【実用新案登録請求の範囲】
【請求項１】
従来のフライパンに、食材返しの為の側面を加えた、食材返し付きフライパン。
【請求項２】
食材返しの側面を、左側、または、右側に付けた、食材返し付きフライパン。
【請求項３】
食材返しの側面に、焼けど防止カバーを、取り付けや、取り外すことが出来る食材返し付きフライパン。
(57)【要約】      （修正有）【課題】カーテンレールを利用することで壁面等に固定することなく、また、カーテンに付属されているタッセルを使用できるタッセル（ふさ）掛けを提供する。【解決手段】１の耐久性を考慮した金属性のフックをカーテンレール内の掛具に引っ掛け、２に刻んである目盛で紐の長さを調整し、３の保持器具で紐の長さを固定する。４はタッセルを引っ掛けるフックとなり、カーテンレールからぶら下げる際の重りの役割も兼ねている。これにより壁面等に傷や汚れをつけることなくカーテンに付属されているタッセルでカーテンを束ねることが出来る。【選択図】図１
0003145116.tif 000002
【実用新案登録請求の範囲】
【請求項１】
紐状（またはそれに類するもの）の両端にフックを取り付け、片方はカーテンレールに取り付け、もう片方にはタッセル（ふさ）を掛けることで、タッセル（ふさ）掛けそのものを壁面に釘やネジ、粘着テープで固定することを必要としないところを特徴とするタッセル（ふさ）掛け
【考案の詳細な説明】
【技術分野】
【０００１】本考案は、カーテンのタッセル（ふさ）掛けに関するものである。
【背景技術】
【０００２】従来の方法を用いてカーテンを束ねる場合は、タッセル（ふさ）掛けを壁面等に釘やネジ、粘着テープで固定をする方法か、カーテンレールから直接紐を垂らし、その紐そのものをカーテン本体に巻きつける事で固定していた。
【考案の開示】
【考案が解決しようとする課題】
【０００３】釘やネジでタッセル（ふさ）掛けを固定すれば壁面等を傷つけることになり、粘着テープを利用しても壁面等を汚してしまう。また、カーテンレールから直接紐を垂らし、その紐をカーテン本体に巻きつける場合には、タッセルそのものを必要としない為、カーテンに付属されているタッセルを使用出来ないという欠点がある。
【課題を解決するための手段】
【０００４】本考案は、紐状（またはそれに類するもの）の両端にフックを取り付け、片方はカーテンレールに取り付け、もう片方にはタッセル（ふさ）を掛けることで、タッセル（ふさ）掛けそのものを壁面に釘やネジ、粘着テープで固定することなく、また、カーテン購入時に付属されているタッセルも使用出来ることにより問題点を解決している。
【考案の効果】
【０００５】上記の様に、本考案は壁面に固定することを必要としないタッセル（ふさ）掛けの為、カーテンレールから直接タッセル（ふさ）掛けを垂らす事で壁面等に傷を付けたり汚すことがない。賃貸住宅に住んでいる場合、借主は貸主に対して原状回復の義務があることから、借りた（または貸した）状態を保てることは双方にとって利点となる。また、マンションや一戸建てを購入した場合も同様で、新居の壁面等を傷つけたり汚したりする恐れがない。さらに、カーテンを購入した際に付属されているタッセル（ふさ）掛けを利用する為、無駄がなく、カーテンとタッセル（ふさ）掛けのデザインを楽しむことが可能となる。
【考案を実施するための最良の形態】
【０００６】紐（またはそれに類するもの）の両端にフックを取り付ける。カーテンレールに引っ掛ける方のフックは２つ付いており、カーテンレール内にある掛具の外側から見て１つ目と２つ目に引っ掛ける。もう片方にはやや重めのフックがついており、カーテンレールからぶら下げた際に安定感が出るようにする。また、紐の長さを調整する為に紐には目盛を刻み（または穴等を開ける）、保持器具等（または紐を結ぶ）で長さを固定できるようにする。
【実施例】
【０００７】以下、添付図面に従って一実施例を説明する。１は耐久性を考慮した金属性のフックでカーテンレール内の掛具に引っ掛ける部分、２には目盛が刻んであり紐の長さを調整する際の目安になり、３の保持器具で紐の長さを固定する。４はタッセルを引っ掛けるフックとなり、カーテンレールからぶら下げる際の重りの役割を兼ねている事から、やや重めのものにしておく。
【産業上の利用可能性】
【０００８】
【図面の簡単な説明】
【０００９】
【図１】本考案の壁面に固定することを必要としないタッセル（ふさ）掛けの全体図である。
【図２】本タッセル（ふさ）掛けの紐を調整する際の保持器具である。
【符号の説明】
【００１０】１  フック
２  紐
３  保持器具
４  タッセル（ふさ）掛け
【図１】
0003145116.tif 000003
【図２】
0003145116.tif 000004
【手続補正書】
【提出日】平成20年3月5日(2008.3.5)
【手続補正１】
【補正対象書類名】実用新案登録請求の範囲
【補正対象項目名】全文
【補正方法】変更
【補正の内容】
【実用新案登録請求の範囲】
【請求項１】
紐状（またはそれに類するもの）の両端に取り付けたフックをカーテンレールに取り付け、中間の垂れ下がっている部分にタッセル掛けを取り付けることで、壁面等に釘やネジまたは粘着テープ等で固定する必要の無いタッセル（ふさ）掛け
【手続補正書】
【提出日】平成20年6月18日(2008.6.18)
【手続補正１】
【補正対象書類名】実用新案登録請求の範囲
【補正対象項目名】全文
【補正方法】変更
【補正の内容】
【実用新案登録請求の範囲】
【請求項１】
紐状の両端に収り付けたフックをカーテンレールに取り付け、中間の垂れ下がっている部分にタッセル掛けを取り付けることで、壁面等に釘やネジまたは粘着テープ等で固定する必要の無いタッセル掛け